(57)【要約】【課題】本発明は、データを再度変調する多重変調方法において、先に変調されたデータを再び変調する際に発生する輝度反転現象を予防するようにする平板表示装置及びそのデータ多重変調方法に関する。【解決手段】本発明に係る平板表示装置は、平板表示パネルの応答特性及び明暗比のうち、少なくともいずれか１つを調整するために、予め格納された第１補償値で平板表示パネルに示されるデジタルビデオデータを１次変調する第１変調器；及び、同一の階調を平板表示パネルに示す際に、正常表示面に比べて輝度が異なるように映される不良表示領域に示されるデジタルビデオデータを予め格納された第２補償値で２次変調する第２変調器を備えている。【選択図】図１０
2008033332.tif 000002
【特許請求の範囲】
【請求項１】
平板表示パネルの応答特性及び明暗比のうち、少なくともいずれか１つを調整するために、予め貯蔵された第１補償値で前記平板表示パネルに示されるデジタルビデオデータを１次変調する第１変調器；及び
同一の階調を前記平板表示パネルに示す際に、正常表示面に比べて輝度が異なるように映される不良表示領域に示される前記デジタルビデオデータを予め格納された第２補償値で２次変調する第２変調器；
を備えたことを特徴とする平板表示装置。
【請求項２】
前記不良表示領域は、
前記正常表示面に比べて暗く映される第１不良表示領域と；
前記正常表示面に比べて明るく映される第２不良表示領域と；
を含むことを特徴とする請求項１に記載の平板表示装置。
【請求項３】
前記第２変調器は、
前記第１不良表示領域に示されるデジタルビデオデータに前記第２補償値を加算し；
前記第２不良表示領域に示されるデジタルビデオデータに前記第２補償値を減算することを特徴とする請求項２に記載の平板表示装置。
【請求項４】
前記補償値と前記不良表示領域との位置情報を格納するメモリを更に備えたことを特徴とする請求項１に記載の平板表示装置。
【請求項５】
前記メモリは、
ＥＥＰＲＯＭとＥＤＩＤ  ＲＯＭとのうち、１つ以上を備えたことを特徴とする請求項４に記載の平板表示装置。
【請求項６】
前記デジタルビデオデータをアナログビデオ信号に変換して前記平板表示パネルのデータラインに供給するデータ駆動回路；
前記平板表示パネルのスキャンラインにスキャン信号を供給するスキャン駆動回路；
前記データ駆動回路に前記デジタルビデオデータを供給すると共に、前記データ駆動回路と前記スキャン起動回路とを制御するタイミングコントローラ；
を更に備えたことを特徴とする請求項１に記載の平板表示装置。
【請求項７】
前記タイミングコントローラ、前記第１及び第２変調器は１つのチップに集積されることを特徴とする請求項６に記載の平板表示装置。
【請求項８】
前記平板表示パネルは、液晶表示パネル、電界放出表示素子、プラズマディスプレイパネル及び有機発光ダイオード表示素子のうち、いずれか１つを含むことを特徴とする請求項１に記載の平板表示装置。
【請求項９】
平板表示パネルの応答特性及び明暗比のうち、少なくともいずれか１つを調整するために、予め格納された第１補償値で前記平板表示パネルに示されるデジタルビデオデータを１次変調する第１変調器；及び
前記平板表示パネルにおいて、２つのサブピクセルが電気的に連結されたリンクサブピクセルに示される前記デジタルビデオデータを予め格納された第２補償値で２次変調する第２変調器；
を備えたことを特徴とする平板表示装置。
【請求項１０】
前記第２変調器は、
前記第１不良表示領域に示されるデジタルビデオデータに前記第２補償値を加算することを特徴とする請求項９に記載の平板表示装置。
【請求項１１】
前記補償値と前記リンクサブピクセルとの位置情報を格納するメモリを更に備えたことを特徴とする請求項９に記載の平板表示装置。
【請求項１２】
前記メモリは、
ＥＥＰＲＯＭとＥＤＩＤ  ＲＯＭとのうち、１つ以上を備えたことを特徴とする請求項１１に記載の平板表示装置。
【請求項１３】
前記デジタルビデオデータをアナログビデオ信号に変換して前記平板表示パネルのデータラインに供給するデータ駆動回路；
前記平板表示パネルのスキャンラインにスキャン信号を供給するスキャン駆動回路；及び
前記データ駆動回路に前記デジタルビデオデータを供給すると共に、前記データ駆動回路と前記スキャン起動回路とを制御するタイミングコントローラ；
を更に備えたことを特徴とする請求項９に記載の平板表示装置。
【請求項１４】
前記タイミングコントローラ、前記第１及び第２変調器は１つのチップに集積されることを特徴とする請求項１３に記載の平板表示装置。
【請求項１５】
前記平板表示パネルは、液晶表示パネル、電界放出表示素子、プラズマディスプレイパネル及び有機発光ダイオード表示素子のうち、いずれか１つを含むことを特徴とする請求項１４に記載の平板表示装置。
【請求項１６】
平板表示パネルの応答特性及び明暗比のうち、少なくともいずれか１つを調整するために、予め格納された第１補償値で前記平板表示パネルに示されるデジタルビデオデータを１次変調する第１変調器；及び
同一の階調を前記平板表示パネルに示す際に、正常表示面に比べて輝度が異なるように映される不良表示領域に示される前記デジタルビデオデータと、前記平板表示パネルにおいて、２つのサブピクセルが電気的に連結されたリンクサブピクセルに示される前記デジタルビデオデータと、を予め格納された第２補償値で２次変調する第２変調器；
を備えたことを特徴とする平板表示装置。
【請求項１７】
平板表示パネルの応答特性及び明暗比のうち、少なくともいずれか１つを調整するために、予め格納された第１補償値で前記平板表示パネルに示されるデジタルビデオデータを１次変調する段階；及び
同一の階調を前記平板表示パネルに示す際に、正常表示面に比べて輝度が異なるように映される不良表示領域に示される前記デジタルビデオデータを予め格納された第２補償値で２次変調する段階；
を含むことを特徴とする平板表示装置のデータ多重変調方法。
【請求項１８】
前記不良表示領域は、
前記正常表示面に比べて暗く映される第１不良表示領域と；
前記正常表示面に比べて明るく映される第２不良表示領域と；
を含むことを特徴とする請求項１７に記載の平板表示装置のデータ多重変調方法。
【請求項１９】
前記デジタルビデオデータを予め格納された第２補償値で２次変調する段階は、
前記第１不良表示領域に示されるデジタルビデオデータに前記第２補償値を加算する段階；及び
前記第２不良表示領域に示されるデジタルビデオデータに前記第２補償値を減算する段階；
を含むことを特徴とする請求項１８に記載の平板表示装置のデータ多重変調方法。
【請求項２０】
平板表示パネルの応答特性及び明暗比のうち、少なくともいずれか１つを調整するために、予め格納された第１補償値で前記平板表示パネルに示されるデジタルビデオデータを１次変調する段階；及び
前記平板表示パネルにおいて、２つのサブピクセルが電気的に連結されたリンクサブピクセルに示される前記デジタルビデオデータを予め格納された第２補償値で２次変調する段階；
を含むことを特徴とする平板表示装置のデータ多重変調方法。
【請求項２１】
前記デジタルビデオデータを予め格納された第２補償値で２次変調する段階は、
前記第１不良表示領域に示されるデジタルビデオデータに前記第２補償値を加算することを特徴とする請求項２０に記載の平板表示装置のデータ多重変調方法。
【請求項２２】
平板表示パネルの応答特性及び明暗比のうち、少なくともいずれか１つを調整するために、予め格納された第１補償値で前記平板表示パネルに示されるデジタルビデオデータを１次変調する段階；及び
同一の階調を前記平板表示パネルに示す際に、正常表示面に比べて輝度が異なるように映される不良表示領域に示される前記デジタルビデオデータと、前記平板表示パネルにおいて、２つのサブピクセルが電気的に連結されたリンクサブピクセルに示される前記デジタルビデオデータと、を予め格納された第２補償値で２次変調する段階；
を含むことを特徴とする平板表示装置のデータ多重変調方法。
【発明の詳細な説明】
【技術分野】
【０００１】
本発明は、平板表示装置に関し、特に、データを複数回にわたって変調する多重変調方法において、先に変調されたデータを再び変調する際に発生する輝度反転現象を予防するようにする平板表示装置及びそのデータ多重変調方法に関する。
【背景技術】
【０００２】
平板表示装置には、液晶表示素子（Ｌｉｑｕｉｄ  Ｃｒｙｓｔａｌ  Ｄｉｓｐｌａｙ：ＬＣＤ）、電界放出表示素子（Ｆｉｅｌｄ  Ｅｍｉｓｓｉｏｎ  Ｄｉｓｐｌａｙ：ＦＥＤ）、プラズマディスプレイパネル（Ｐｌａｓｍａ  Ｄｉｓｐｌａｙ  Ｐａｎｅｌ：ＰＤＰ）及び有機発光ダイオード表示素子（Ｏｒｇａｎｉｃ  Ｌｉｇｈｔ  Ｅｍｉｔｔｉｎｇ  Ｄｉｏｄｅ  Ｄｉｓｐｌａｙ：ＯＬＥＤ）等があり、これらの大分が実用化して市販されている。
【０００３】
平板表示装置における応答速度の改善、あるいは動画像における輝度及びコントラストの改善のために、デジタルビデオデータを変調し、変調されたデジタルビデオデータに基づいて平板表示パネルを駆動する方法が提案されている。
【０００４】
データ変調方法を実現するために、平板表示装置の駆動回路にはデータ変調方法のうち、いずれか１つ以上を実現するための回路が含まれている。様々な目的のデータ変調方法を共に適用する場合、変調されなかった元デジタルビデオデータ（ｏｒｉｇｉｎａｌ  ｄｉｇｉｔａｌ  ｖｉｄｅｏ  ｄａｔａ）をソースデータとして設計された目的値でデータを変調する２次データ変調方式に先立って、ある目的値で１次データ変調を行うと、２次データ変調の際にソースデータが変形されて、設計際の目的値とは異なる値でデータが変わり得る。この場合、２次データ変調によって変調されたデジタルビデオデータに基づいて平板表示パネルを駆動すると、予期しない輝度反転が発生する可能性がある。
【発明の開示】
【発明が解決しようとする課題】
【０００５】
従って、本発明は、従来の技術によって発生する問題点を解決するために提案されたものであり、その目的は、多重変調方法において、先に変調されたデータを再び変調する際に発生する輝度反転現象を予防することのできる平板表示装置及びそのデータ多重変調方法を提供することにある。
【課題を解決するための手段】
【０００６】
上記目的を達成するため、本発明に係る平板表示装置は、平板表示パネルの応答特性及び明暗比のうち、少なくともいずれか１つを調整するために、予め格納された第１補償値で平板表示パネルに示されるデジタルビデオデータを１次変調する第１変調器；及び、同一の階調を平板表示パネルに示す際に、正常表示面に比べて輝度が異なるように映される不良表示領域に示されるデジタルビデオデータを予め格納された第２補償値で２次変調する第２変調器；を備えている。
【０００７】
不良表示領域は、正常表示面に比べて暗く映される第１不良表示領域と；正常表示面に比べて明るく映される第２不良表示領域とを含む。
【０００８】
第２変調器は、第１不良表示領域に示されるデジタルビデオデータに第２補償値を加算し；第２不良表示領域に示されるデジタルビデオデータに第２補償値を減算する。
【０００９】
平板表示装置は、補償値と不良表示領域の位置情報を格納するメモリを更に備えている。
【００１０】
メモリは、ＥＥＰＲＯＭとＥＤＩＤ  ＲＯＭのうち、１つ以上を備えている。
【００１１】
平板表示装置は、デジタルビデオデータをアナログビデオ信号に変換して平板表示パネルのデータラインに供給するデータ駆動回路；平板表示パネルのスキャンラインにスキャン信号を供給するスキャン駆動回路；データ駆動回路にデジタルビデオデータを供給すると共に、データ駆動回路とスキャン起動回路を制御するタイミングコントローラを更に備えている。
【００１２】
タイミングコントローラ、第１及び第２変調器は１つのチップに集積される。
【００１３】
平板表示パネルは、液晶表示パネル、電界放出表示素子、プラズマディスプレイパネル及び有機発光ダイオード表示素子のうち、いずれか１つを含む。
【００１４】
また、本発明に係る平板表示装置は、平板表示パネルの応答特性及び明暗比のうち、少なくともいずれか１つを調整するために、予め格納された第１補償値で平板表示パネルに示されるデジタルビデオデータを１次変調する第１変調器；及び、平板表示パネルにおいて、２つのサブピクセルが電気的に連結されたリンクサブピクセルに示されるデジタルビデオデータを予め格納された第２補償値で２次変調する第２変調器；を備えている。
【００１５】
また、本発明に係る平板表示装置は、平板表示パネルの応答特性及び明暗比のうち、少なくともいずれか１つを調整するために、予め格納された第１補償値で平板表示パネルに示されるデジタルビデオデータを１次変調する第１変調器；及び、同一の階調を平板表示パネルに示す際に、正常表示面に比べて輝度が異なるように映される不良表示領域に示されるデジタルビデオデータと、平板表示パネルにおいて、２つのサブピクセルが電気的に連結されたリンクサブピクセルに示されるデジタルビデオデータを予め格納された第２補償値で２次変調する第２変調器；を備えている。
【００１６】
また、本発明に係る平板表示装置のデータ多重変調方法は、平板表示パネルの応答特性及び明暗比のうち、少なくともいずれか１つを調整するために、予め格納された第１補償値で平板表示パネルに示されるデジタルビデオデータを１次変調する段階；及び、同一の階調を平板表示パネルに示す際に、正常表示面に比べて輝度が異なるように映される不良表示領域に示されるデジタルビデオデータを予め格納された第２補償値で２次変調する段階；を含む。
【００１７】
また、本発明に係る平板表示装置のデータ多重変調方法は、平板表示パネルの応答特性及び明暗比のうち、少なくともいずれか１つを調整するために、予め格納された第１補償値で平板表示パネルに示されるデジタルビデオデータを１次変調する段階；及び、平板表示パネルにおいて、２つのサブピクセルが電気的に連結されたリンクサブピクセルに示されるデジタルビデオデータを予め格納された第２補償値で２次変調する段階；を含む。
【００１８】
また、本発明に係る平板表示装置のデータ多重変調方法は、平板表示パネルの応答特性及び明暗比のうち、少なくともいずれか１つを調整するために、予め格納された第１補償値で平板表示パネルに示されるデジタルビデオデータを１次変調する段階；及び、同一の階調を平板表示パネルに示す際に、正常表示面に比べて輝度が異なるように映される不良表示領域に示されるデジタルビデオデータと、平板表示パネルにおいて、２つのサブピクセルが電気的に連結されたリンクサブピクセルに示されるデジタルビデオデータを予め格納された第２補償値で２次変調する段階；を含む。
【発明の効果】
【００１９】
本発明に係る平板表示装置及びそのデータ多重変調方法によれば、明暗比と応答特性を向上し、輝度反転現象を予防することができる。
【発明を実施するための最良の形態】
【００２０】
実施の形態１．
上記目的の外、本発明の他の目的及び特徴は、添付の図面を参照した実施の形態についての説明を通じて明らかに示される。
【００２１】
以下、図１〜図１８を参照して、本発明の好ましい実施の形態について説明する。
【００２２】
図１において、本発明の実施の形態１に係る平板表示装置のデータ多重変調装置１００は、応答特性を改善するために、第１補償値でデジタルビデオデータＲｉＧｉＢｉを１次変調する第１変調部１と、第１変調部１によって変調されたデジタルビデオデータＯＤＣ（ＲＧＢ）のうち、表示むらに示されるデジタルビデオデータＯＤＣ（ＲＧＢ）を第２補償値で２次変調し、ランプ輝線に対応する表示面に示されるデジタルビデオデータＯＤＣ（ＲＧＢ）を第３補償値で２次変調し、リンクサブピクセルの充電量を補償するために、第４補償値でリンクサブピクセルに示されるデジタルビデオデータＯＤＣ（ＲＧＢ）を２次変調する第２変調部２と、第１及び第２変調部１、２に必要な補償値と位置情報を格納するメモリ３と、第２変調部２によって変調されたデジタルビデオデータＤＣＡ（ＲＧＢ）を平板表示パネルに示すためのデータ駆動回路５とを備えている。
【００２３】
メモリ３は、データの更新及び消去が可能な非揮発性メモリ、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）及び／またはＥＤＩＤ  ＲＯＭ（Ｅｘｔｅｎｄｅｄ  Ｄｉｓｐｌａｙ  Ｉｄｅｎｔｉｆｉｃａｔｉｏｎ  Ｄａｔａ  ＲＯＭ）を含めて、第１及び第２変調部１、２のそれぞれのデータ変調に必要な第１〜第４補償値と、第２変調部２に必要な表示むらの各ピクセルの位置、ランプ輝線、及びリンクサブピクセルの位置を指示する位置情報を格納する。一方、ＥＤＩＤ  ＲＯＭには補償値と位置情報の外にも、基本的にモニタ情報データとして販売者／生産者識別情報（ＩＤ）及び基本表示素子の変数及び特性等が格納される。メモリ３に格納された補償値はデジタルビデオデータＲｉＧｉＢｉと位置情報をリードアドレス（Ｒｅａｄ  Ａｄｒｅｓｓ）にして補償値を出力するルックアップテーブル（Ｌｏｏｋ−ｕｐ）の形態に格納される。
【００２４】
第１変調部１は、以前のフレームデータと現在のフレームデータとを比較し、その比較結果に係るデータの変化を判断して、その判断結果に対応する第１補償値をメモリ３から読み取り、その第１補償値でデジタルビデオデータＲｉＧｉＢｉを１次変調することによって、平板表示パネルの応答特性を向上させる。このような第１変調部１の１次データ変調による応答特性の改善原理を液晶の応答特性を中心として説明すると次のようである。
【００２５】
液晶表示装置は、（式１）及び（式２）から分かるように、液晶の固有の粘性と弾性等の特性によって応答速度が遅いという問題点がある。
【００２６】
【数１】
2008033332.tif 000003
【００２７】
ここで、τｒは液晶に電圧が印加される際のライジング・タイム（ｒｉｓｉｎｇ  ｔｉｍｅ）を、Ｖａは印加電圧を、ＶＦは液晶分子が傾斜運動を始めるフリーデリック遷移電圧（Ｆｒｅｅｄｅｒｉｃｋ
Ｔｒａｎｓｉｔｉｏｎ  Ｖｏｌｔａｇｅ）を、ｄは液晶セルのセルギャップ（ｃｅｌｌ  ｇａｐ）を、γ（ｇａｍｍａ）は液晶分子の回転粘度（ｒｏｔａｔｉｏｎａｌ  ｖｉｓｃｏｓｉｔｙ）をそれぞれ意味する。
【００２８】
【数２】
2008033332.tif 000004
【００２９】
ここで、τｆは液晶に印加された電圧がオフされた後、液晶が弾性復元力によって元の位置に戻されるフォーリング・タイム（ｆａｌｌｉｎｇ  ｔｉｍｅ）を、Ｋは液晶固有の弾性係数をそれぞれ意味する。
【００３０】
液晶表示装置で主に用いられているＴＮモード（Ｔｗｉｓｔｅｄ  Ｎｅｍａｔｉｃ  ｍｏｄｅ）の液晶応答速度は、液晶材料の物性とセルギャップ等によって異なるが、通常、ライジングタイムが２０〜８０ｍｓであり、フォーリング・タイムが２０〜３０ｍｓである。このような液晶の応答速度は１フレーム期間（ＮＴＳＣ：１６．６７ｍｓ）よりも長い。このため、図２に示すように、液晶セルに充電される電圧が所望の電圧に達する前に次のフレームに進行されるので、動画像に画面が微かに写されるモーションブラリング（Ｍｏｔｉｏｎ  Ｂｕｒｒｉｎｇ）現状が表れる。即ち、液晶の遅い応答速度によって、１つのレベルから他のレベルへデータ（ＶＤ）が変わる際、それに対応する表示輝度（ＢＬ）が、図２に示すように所望の目標の輝度に達しない。
【００３１】
第１変調部１は、デジタルビデオデータＲｉＧｉＢｉを以前のフレームと現在のフレームとの間で比較し、その比較結果によって、予め設定された第１補償値を選択し、選択された補償値でデジタルビデオデータＲｉＧｉＢｉを変調して、図３に示すように、液晶表示パネルに供給される電圧の絶対値をＶＤからＭＶＤへ大きく、即ち、（式１）において｜Ｖ２ａ−Ｖ２Ｆ｜を大きくする。このために、第１変調部１は、２つのフレームメモリ４３ａ、４３ｂとルックアップテーブル４４とを含む。
【００３２】
第１及び第２フレームメモリ４３ａ、４３ｂは、データをフレーム単位に交互に格納し、格納されたデータを交互に出力してルックアップテーブル４４に以前のフレームデータ、即ち、ｎ−１番目のフレームデータＦｎ−１を供給する。
【００３３】
ルックアップテーブル４４は、下記の表１に示すような第１補償値が登載され、メモリ３に格納される。このルックアップテーブル４４は、ｎ番目のフレームデータＦｎと第１及び第２フレームメモリ４３ａ、４３ｂから入力されるｎ−１番目のフレームデータＦｎ−１を比較し、その比較結果に対応する第１補償値を１次変調されたデジタルビデオデータＯＤＣ（ＲＧＢ）として出力する。このルックアップテーブル４４はメモリ２３に格納され、平板表示装置に電源が供給された直後に第１変調部１にロードされる。
【００３４】
【表１】
2008033332.tif 000005
【００３５】
表１において、最も左側の列は以前のフレームＦｎ−１のデジタルビデオデータＲｉＧｉＢｉであり、最も上側の行は現在のフレームＦｎのデジタルビデオデータＲｉＧｉＢｉである。
【００３６】
表１から分かるように、第１変調部１は、下記のような（式３）〜（式５）によってデジタルビデオデータＲｉＧｉＢｉを変調する。
【００３７】
【数３】
2008033332.tif 000006
【００３８】
【数４】
2008033332.tif 000007
【００３９】
【数５】
2008033332.tif 000008
【００４０】
（式３）〜（式５）から分かるように、第１変調部１は、予め決定された第１補償値に応じて、同一のピクセルからそのピクセルデータ値が以前のフレームＦｎ−１よりも現在のフレームＦｎにおいて更に大きくなると、現在のフレームＦｎよりも更に大きい値にデジタルビデオデータＲｉＧｉＢｉを変調する反面、以前のフレームＦｎ−１よりも現在のフレームＦｎにおいて更に小さくなると、現在のフレームＦｎよりも更に小さい値にデジタルビデオデータＲｉＧｉＢｉを変調する。そして、第１変調部１は、同一のピクセルからそのピクセルデータ値が以前のフレームＦｎ−１と現在のフレームＦｎにおいて同一であると、現在のフレームＦｎと同一の値にデジタルビデオデータＲｉＧｉＢｉを変調、即ち、現在のフレームＦｎのデータを第２変調部２にそのまま供給する。
【００４１】
このような第１変調部１は、本願出願人によって先出願された大韓民国特許出願第１０−２００１−００３２３６４号、第１０−２００１−００５７１１９号、第１０−２００１−００５４１２３号、第１０−２００１−００５４１２４号、第１０−２００１−００５４１２５号、第１０−２００１−００５４１２７号、第１０−２００１−００５４１２８号、第１０−２００１−００５４３２７号、第１０−２００１−００５４８８９号、第１０−２００１−００５６２３５号、第１０−２００１−００７８４４９号、第１０−２００２−００４６８５８号、第１０−２００２−００７４３６６号等に開示された変調方式を用いて液晶の応答特性を速くすることもできる。
【００４２】
第２変調部２は、平板表示パネルの検査工程で測定された輝度に基づいて、平板表示パネルの表示面において輝度差によって表れるブロック、帯、点、または不定形の表示むらに示されるデジタルビデオデータＯＤＣ（ＲＧＢ）を２次変調する。表示むらは、フォトリソグラピ（
Ｐｈｏｔｏｌｉｔｈｏｇｒａｐｈｙ）工程の露光工程でレンズ間の重畳、レンズ収差等によって主に発生される。具体的に言うと、フォトレジストの露光量の差異によって、１つの平板表示パネルの表示面上で薄膜トランジスタ（Ｔｈｉｎ  ｆｉｌｍ  ｔｒａｎｓｉｓｔｏｒ）のゲート−ドレイン（または、ソース）間の寄生容量の偏差、セルギャップを保持するためのカラムスペーサの高さの偏差、信号配線と画素電極との寄生容量の偏差等が存在するようになり、その結果、正常的な輝度に示される正常表示面に比べ、ブロック、帯、点または不定形の面状に輝度の低いまたは高い表示むらが表れる。表示むらは、正常表示面と異なる輝度に表れる面、または正常表示面と境界を成して、漸進的な傾度に輝度が変化される境界部を含む。このような表示むらの輝度は、一般的に正常表示面の輝度よりも低いか高いので、第２変調部２は表示むらに示されるデジタルビデオデータＯＤＣ（ＲＧＢ）に第２補償値を加算または減算して、表示むらの輝度を正常表示面と類似する輝度に補償する。
【００４３】
更に、第２変調部２は、平板表示パネルの表示むらの外にも、直下型バックライトユニットを採用した液晶表示装置において、直下型バックライトユニットのランプが映されるランプ輝線を補償するための第３補償値をメモリ３から読み取り、その第３補償値でランプ輝線と対応するデジタルビデオデータＯＤＣ（ＲＧＢ）を減算して、ランプ輝線によって明るく映される部分の輝度を低く補償する。また、第２変調部２は、図５に示すように、ＴＦＴの不良等によって信号が供給されない不良サブピクセル５０をそれと同一の色を表現するための隣接サブピクセル５１と電気的にショット（Ｓｈｏｒｔ）させて、リンクサブピクセル５３に対して充電特性を補償するための第４補償値でそのリンクサブピクセル５３に示されるデジタルビデオデータＯＤＣ（ＲＧＢ）を変調する。詳細に説明すると、図５に示すように、リペア工程で同一の色の正常サブピクセル５１と不良サブピクセル５０が導伝性ショットパターン５２を通じて電気的に連結される。このリンクサブピクセル５３において、正常サブピクセル５１と不良サブピクセル５０は同時にデータ電圧が充電される。ところで、リンクサブピクセル５３は、１つの薄膜トランジスタを通じて２つのサブピクセルに含まれた画素電極に電荷が供給されるので、リンクされていない正常サブピクセル５１に比べて充電特性が異なるようになる。例えば、リンクサブピクセル５３とリンクされていない正常サブピクセル５１に同一のデータ電圧が供給される場合、リンクサブピクセル５３は２つのサブピクセルに電荷が分散されるので、リンクされていない正常サブピクセル５１に比べて電荷充電量が少ない。その結果、リンクされていない正常サブピクセル５１とリンクサブピクセル５３に同一のデータ電圧が供給される際、リンクサブピクセル５３は、データ電圧が小さいほど、透過率または階調が高くなるノーマリホワイトモード（Ｎｏｒｍａｌｌｙ  Ｗｈｉｔｅ  Ｍｏｄｅ）でリンクされていない正常サブピクセル５１に比べて更に明るく映される。反面、リンクされていない正常サブピクセル５１とリンクサブピクセル５３に同一のデータ電圧が供給される際、リンクサブピクセル５３は、データ電圧が大きいほど、透過率または階調が高くなるノーマリブラックモード（Ｎｏｒｍａｌｌｙ  Ｂｌａｃｋ  Ｍｏｄｅ）でリンクされていない正常サブピクセル５１に比べて更に暗く映される。このようなリンクサブピクセル５３の充電量の低下を補償するために、第４補償値はリンクサブピクセル５３に示されるデジタルビデオデータＯＤＣ（ＲＧＢ）に加算または減算される。このような第４補償値は、リンクサブピクセル５３の位置と、リンクサブピクセル５３に示されるデジタルビデオデータＯＤＣ（ＲＧＢ）の階調値によって異なるようになる。
【００４４】
このような第２変調部２で用いられる補償値の決定方法と、その補償値を用いる表示面の輝度差の補償例を図６〜図１１を参照して説明する。
【００４５】
図６において、本発明の実施の形態１に係る平板表示装置の製造方法は、上板及び下板をそれぞれ作成した後、上／下板をシール剤（Ｓｅａｌａｎｔ）やフリットガラス（Ｆｒｉｔ  ｇｌａｓｓ）で合着する（Ｓ５１、Ｓ５２、Ｓ５３）。上板と下板は、平板表示パネルの種類によって様々な形態に作成され得る。例えば、液晶表示パネルの場合、上板には、カラーフィルタ、ブラックマトリクス、共通電極、上部配向膜等が形成され得ると共に、下板には、データライン、ゲートライン、ＴＦＴ、画素電極、下部配向膜、カラムスペーサ等が形成され得る。また、プラズマディスプレイパネルの場合、下板には、アドレス電極、下部誘電体、隔壁、蛍光体等が形成され得ると共に、上板には、上部誘電体、ＭｇＯ保護膜、サステイン電極対が形成され得る。
【００４６】
続いて、平板表示装置の検査工程で、上／下板が合着された平板表示装置に対して、各階調のテストデータを平板表示装置に印加してテスト画像を示し、その画像に対して、カメラ等の測定装備を用いる電気的な検査及び／または肉眼検査を通じて表示面の全体の輝度を測定する（Ｓ５４）。そして、検査工程で、平板表示装置に表示むらが発見されると（Ｓ５５）、その表示むらが表れる位置と表示むらの輝度とを分析する（Ｓ５６）。ここで、表示むらは、前述のように、正常表示面に比べて輝度が低いか高い面、あるいは正常表示面に比べて輝度が高いランプ輝線を含む。
【００４７】
そして本発明は、平板表示装置の表示むらの判定工程で、表示むらの各ピクセルを指示する位置データと階調領域別補償値とを決定した後、表示むらの各ピクセル別の位置を指示する位置データと、デジタルビデオデータＯＤＣ（ＲＧＢ）に加減される補償値とを、ユーザコネクタ（Ｕｓｅｒ  ｃｏｎｎｅｃｔｏｒ）とローム記録器（ＲＯＭ  ｗｒｉｔｅｒ）とを通じてメモリ３に格納する（Ｓ５７、Ｓ５８）。ここで、デジタルビデオデータＯＤＣ（ＲＧＢ）に加減される補償値は、図７に示すように、平板表示パネルのアナログガンマ特性を顧慮して、各階調領域（Ａ区間〜Ｄ区間）別に最適化するべきである。例えば、第２及び第３補償値は、表示むらで輝度の異なる位置毎に異なるようになり、また、同一の位置でも階調によって異なるようになる。換言すると、表示むらの階調領域別の補償値は、表示むらの位置、表示むらと正常表示面の輝度差、表示むらに示されるデジタルビデオデータの階調値等によって異なるようになる。
【００４８】
Ｓ５５の段階で、表示むらの大きさ、個数及び程度が良品許容基準値の以下に発見されると、その平板表示装置は良品として判定されて出荷される（Ｓ５９）。
【００４９】
このような一連の工程を経て決定された補償値と位置データに基づいて、第２変調部２は、ブロック、面、線、点、不定形の形態の表示むらに示されるデジタルビデオデータＯＤＣ（ＲＧＢ）を変調する。同一の階調で、正常表示面に比べて輝度の低い表示むらに示されるデジタルビデオデータは補償値が加算される反面、同一の階調で、正常表示面に比べて輝度の高い表示むらまたはランプ輝線に示されるデジタルビデオデータは補償値で減算される。このように第２変調部２によって変調されてデータ駆動回路５に供給されるデジタルビデオデータＤＣＡ（ＲＧＢ）は、駆動回路５によって平板表示パネルの駆動特性に応じてアナログ電圧またはアナログ電流に変換されて平板表示パネルに供給される。平板表示パネルに示されるデータは、第１及び第２変調部１、２によるデジタルビデオデータの変調の結果、未変調の際よりも応答速度が更に速くなり、図８に示すように、同一の階調を示す場合、表示むら部の輝度と正常表示面の輝度との差異は殆どなくなる。
【００５０】
第２変調部２の変調に必要な補償値は、整数、あるいは整数＋１未満の小数に決定され得る。また、第２変調部２は、予め設定されたプログラムによってディザリング（Ｄｉｔｈｅｒｉｎｇ）や、図９に示すようなディザパターンを用いるフレームレートコントロール（Ｆｒａｍｅ  Ｒａｔｅ  Ｃｏｎｔｒｏｌ）に補償値の小数を表現する。
【００５１】
図９は、補償値「１／８」を表現するための１／８ディザパターン、補償値「２／８」を表現するための２／８ディザパターン、補償値「３／８」を表現するための３／８ディザパターン、補償値「４／８」を表現するための４／８ディザパターン、補償値「５／８」を表現するための５／８ディザパターン、補償値「６／８」を表現するための６／８ディザパターン、及び補償値「７／８」を表現するための７／８ディザパターンを示す図面である。それぞれのディザパターンにおいて赤色に示す部分は、デジタルビデオデータＯＤＣ（ＲＧＢ）に「１」が加算される補償ピクセルを意味し、４ピクセル×８ピクセルの大きさを有する各ディザパターンの内で補償ピクセルの数に応じて補償値が決定され、その補償ピクセルの位置は補償値が適用されるピクセルの繰り返しの周期を少なくするためにフレーム毎に変わる。
【００５２】
第２変調部２は、本願出願人によって先出願された大韓民国特許出願第１０−２００５−００９７６１８号、第１０−２００５−０１００９２７号、第１０−２００５−０１００９３４号、第１０−２００５−０１１７０６４号、第１０−２００５−０１０９７０３号、第１０−２００５−０１１８９５９号、第１０−２００５−０１１８９６６号等に開示された変調方式を適用することができる。
【００５３】
図１０は、本発明の実施の形態１に係る平板表示装置のデータ多重変調方法の制御順序を段階的に示すフローチャートである。
【００５４】
図１０において、本発明のデータ多重変調方法は、以前のフレームＦｎ−１のデジタルビデオデータＲｉＧｉＢｉと現在のフレームのデジタルビデオデータＲｉＧｉＢｉとを比較し、その比較の結果に応じて応答特性を向上させるために、予め設定された補償値で現在のフレームのデジタルビデオデータＲｉＧｉＢｉを１次変調して、１次変調されたデジタルビデオデータＯＤＣ（ＲＧＢ）を生成する（Ｓ８１、Ｓ８２）。そして、本発明のデータ多重変調方法は、１次変調されたデジタルビデオデータＯＤＣ（ＲＧＢ）のうち、ｖ位置に示されるデジタルビデオデータＯＤＣ（ＲＧＢ）を表示むらの輝度を補償するために予め設定された補償値で２次変調して、２次変調されたデジタルビデオデータＤＣＡ（ＲＧＢ）を生成する（Ｓ８３）。
【００５５】
最後に、本発明のデータ多重変調方法は、平板表示パネルの駆動特性に合わせて、２次変調されたデジタルビデオデータＤＣＡ（ＲＧＢ）をアナログ電圧またはアナログ電流に変換した後、そのアナログ電圧または電流を平板表示パネルに供給して画像を示す（Ｓ８４）。
【００５６】
前述の平板表示装置のデータ多重変調方法の実施の形態１において、第１変調部１と第２変調部２との位置が互いに変わると、輝度逆転現象が発生されることもできる。このような一例は次のようである。この例に対して表１〜表３と図１１とを結び付けて説明する。
【００５７】
デジタルビデオデータの階調値が「５０」〜「１００」である階調領域において、表示むらに対して正常表示面のような輝度に補償するために、最適化された補償値が「３／８」でデジタルビデオデータに対して１次変調を行った後、平板表示パネルの応答特性を改善するために、表１のような補償値で１次変調されたデジタルビデオデータを２次変調すると仮定する。
【００５８】
この表示むらに示される階調値「Ｇ９５」（Ｒデータ「９５」、Ｇデータ「９５」、Ｂデータ「９５」）の入力デジタルビデオデータＲｉＧｉＢｉが、図９に示すように、４ピクセル×８ピクセルの大きさを有して、１２個の補償ピクセルに「１」が加算される３／８ディザパターンによって、８フレーム期間の間に補償値「３／８」が加算されると、そのディザパターン内でｎ−１番目のフレームＦｎ−１に入力された３２個のデジタルビデオデータＲｉＧｉＢｉのうち、２０個のデジタルビデオデータＲｉＧｉＢｉの階調値が「Ｇ９５」であり、ディザパターン内の補償ピクセルに対応する１２個のデジタルビデオデータＲｉＧｉＢｉの階調値が「Ｇ９５」から「Ｇ９６」に変わる。
【００５９】
このように、３／８ディザパターンによって第１補償値で補償される表示むらに対して、ｎ−１番目のフレームＦｎ−１に入力されたデジタルビデオデータＲｉＧｉＢｉがその次のｎ番目のフレームで下記の表２のように変わり、その変化の可否と程度に応じて、表１に示すような応答特性の改善のための第１補償値で２次変調すると、その補償程度は表２のようになる。
【００６０】
【表２】
2008033332.tif 000009
【００６１】
表２において、応答特性を改善するための第１補償値は、表１と（式３）〜（式５）によって求められる。即ち、表１に示すように、デジタルビデオデータの階調値がｎ−１番目のフレーム期間Ｆｎ−１で「Ｇ９６」であり、その後、ｎ番目のフレーム期間Ｆｎで「Ｇ６４」に低くなると、応答特性を改善するための第１補償値によって、ｎ番目のフレーム期間Ｆｎでその階調値は−４だけ低くなる。即ち、Ｇ９６（Ｆｎ−１）＝＞Ｇ６４（Ｆｎ）であると、そのデジタルビデオデータは「Ｇ６０（Ｆｎ）」となる。反面、表１に示すように、デジタルビデオデータの階調値がｎ−１番目のフレーム期間Ｆｎ−１で「Ｇ６４」であり、その後、ｎ番目のフレーム期間Ｆｎで「Ｇ９６」に高くなると、応答特性を改善するための第１補償値によって、ｎ番目のフレーム期間Ｆｎでその階調値は＋８だけ高くなる。即ち、Ｇ６４（Ｆｎ−１）＝＞Ｇ９６（Ｆｎ）であると、そのデジタルビデオデータは「Ｇ１０４（Ｆｎ）」となる。このような関係と線形近似を用いると、Ｇ９６（Ｆｎ−１）〜Ｇ６４（Ｆｎ）、Ｇ６４（Ｆｎ−１）〜Ｇ９６（Ｆｎ）の間の範囲でデジタルビデオデータの階調値が１階調だけ上昇または下降する場合の第１補償値は下記の比例式によって求められる。
【００６２】
１：ｘ＝３２：８、従って、階調範囲の内でｎ−１番目のフレームとｎ番目のフレームの間でデジタルビデオデータが１階調だけ高くなる場合の第１補償値ｘは、ｘ＝＋０．２５となる。
【００６３】
そして、１：ｘ＝３２：４、従って、階調範囲の内でｎ−１番目のフレームとｎ番目のフレームの間でデジタルビデオデータが１階調だけ低くなる場合の第１補償値ｘは、ｘ＝−０．１２５となる。このような第１補償値を３／８ディザパターンに１次変調された表２のデジタルビデオデータに加算すると、その結果は下記の表３のようである。
【００６４】
【表３】
2008033332.tif 000010
【００６５】
従って、表示むらの内で３／８ディザパターンに補償される３２個のピクセルのデジタルビデオデータが応答特性を改善するために第１補償値で２次変調された後、その３２個のピクセルに示されるデジタルビデオデータの平均階調値は「９５．４２１８７５」と変わる。
【００６６】
これに対して、表示むらの内の３２個のピクセルに示されるデジタルビデオデータの好ましい平均階調値は「９５＋３／８＝９５．３７５」である。従って、第２変調部（２）−＞第１変調部（１）の順に変調が行われると、表示むらの内の３２個のピクセルで好ましく補償される補償結果よりも０．０４６８７５だけ加算されるので、図１１に示すように、表示むらの輝度が更に高く示される輝度逆転現象が発生する。換言すると、同一の平板表示パネルの表示面の全体に階調値「Ｇ９５」を表示する際、そのうち、表示むらでデジタルビデオデータが「＋０．３７５」となる場合、図８に示すように、基準面と表示むらの輝度がほぼ同一になるが、変調順序が変わると表示むらの輝度が補償され過ぎて、図１１に示すように表示むらの輝度が高くなる。
【００６７】
実施の形態２．
図１２は、本発明の実施の形態２に係る平板表示装置のデータ多重変調装置１００を示す図面である。
【００６８】
図１２において、本発明の実施の形態２に係る平板表示装置のデータ多重変調装置１００は、１画面分のデジタルビデオデータＲｉＧｉＢｉの輝度を分析して、その輝度の分析結果に基づいてデジタルビデオデータＲｉＧｉＢｉを１次変調すると共に、バックライトの輝度を調整する第３変調部２１と、表示むらの輝度を補償するために、第３変調部２１によって変調されたデジタルビデオデータＡＩ（ＲＧＢ）のうち、表示むらに示されるデジタルビデオデータＡＩ（ＲＧＢ）を第２補償値で２次変調し、ランプ輝線に対応する表示面に示されるデジタルビデオデータＡＩ（ＲＧＢ）を第３補償値で２次変調し、リンクサブピクセルの充電量を補償するために、第４補償値でリンクサブピクセルに示されるデジタルビデオデータＡＩ（ＲＧＢ）を２次変調する第４変調部２２と、第３及び第４変調部２１、２２に必要な補償値と位置情報を格納するメモリ２３と、第４変調部２２から入力されるデジタルビデオデータＤＣＡ（ＲＧＢ）を平板表示パネルに示すためのデータ駆動回路２５とを備えている。
【００６９】
メモリ２３は、前述の実施の形態１と同様に、ＥＥＰＲＯＭ及び／またはＥＤＩＤ  ＲＯＭを含み、第３及び第４変調部２１、２２のそれぞれのデータ変調に必要な補償値と、第４変調部２２に必要な位置情報を格納する。
【００７０】
第３変調部２１は、図１３に示すような回路構成を用いて１画面分のデジタルビデオデータＲｉＧｉＢｉに対して輝度を分析し、その輝度の分析結果に応じてメモリ３に格納された第５補償値でデジタルビデオデータＲｉＧｉＢｉを変調し、明るい映像部分に示されるデジタルビデオデータＲｉＧｉＢｉの輝度値を高くする反面、相対的に暗い映像部分に示されるデジタルビデオデータＲｉＧｉＢｉの輝度値を低くする。第５補償値は、各階調区間の輝度及びコントラストを強化するための多様な形態のデータストラッチングカーブの出力階調に対応する値で決定される。ここで、第３変調部２１は、１画面の階調分布でデジタルビデオデータＲｉＧｉＢｉが集中される階調区間では傾斜度が高くて、相対的にデジタルビデオデータＲｉＧｉＢｉの分布の小さな階調区間では傾斜度が小さいデータストラッチングカーブの第５補償値でデジタルビデオデータＲｉＧｉＢｉを変調する。これと同時に、第３変調部２１は、輝度の分析結果に応じて、明るい映像部分に光を照射するバックライト光源の明るさを高くする反面、相対的に暗い部分に光を照射するバックライト光源の明るさを低くするように、液晶表示装置のバックライトユニットの輝度を制御する。結果的に、第３変調部２１は、映像の分析結果に応じて、デジタルビデオデータＲｉＧｉＢｉの輝度を変調すると共に、バックライト輝度を制御し、表示映像の輝度及びコントラストを増加させて、動画像における動的明暗対比（
Ｄｙｎａｍｉｃ  ｃｏｎｔｒａｓｔ  ｒａｔｉｏ）を大きくする。
【００７１】
第４変調部２２は、メモリに格納された補償値を用いて第３変調部２１から入力されるデジタルビデオデータＡＩ（ＲＧＢ）のうち、パネル欠陥面、バックライト輝線、及びリンクサブピクセルに示されるデジタルビデオデータＡＩ（ＲＧＢ）の輝度を補償する。この第４変調部２２は、前述の実施の形態１の第２変調部２の回路構成及び動作と実質的に同一であるので、それについての詳細な説明は省略する。
【００７２】
図１３は、第３変調部２１の回路構成を詳細に示す図面である。
【００７３】
図１３において、第３変調部２１は輝度／色分離部２１１、遅延部２１２、輝度／色ミキシング部２１３、ヒストグラム分析部２１５、データ処理部２１４、及びバックライト制御部２１６を備えている。
【００７４】
輝度／色分離部２１１はデジタルビデオデータＲｉＧｉＢｉを輝度成分Ｙと色差成分Ｕ、Ｖに分離する。ここで、輝度成分Ｙと色差成分Ｕ、Ｖのそれぞれは（式６）〜（式８）によって算出される。
【００７５】
【数６】
2008033332.tif 000011
【００７６】
【数７】
2008033332.tif 000012
【００７７】
【数８】
2008033332.tif 000013
【００７８】
ヒストグラム分析部２１５は、輝度／色分離部２１１によって分離された輝度成分Ｙの入力を受けて、その輝度成分Ｙを階調別累積分布関数で分類、即ち、図１４に示すようなヒストグラムで分類する。また、ヒストグラム分析部２１５は、水平及び垂直同期信号Ｈ、Ｖとクロック信号ＣＬＫを用いてデジタルビデオデータＲｉＧｉＢｉの表示位置を判断する。
【００７９】
データ処理部２１８は、ヒストグラム分析部２１５から入力されるヒストグラムの分析結果と、メモリ２３から入力される第５補償値を用いて、入力映像の輝度成分Ｙを選択的に変調し、明暗対比が選択的に強調された輝度成分ＹＭを出力する。このような輝度成分ＹＭの変調方法には多様な方法があり、その例として、本願の出願人によって既出願された大韓民国特許出願第１０−２００３−０３６２８９号、第１０−２００３−０４０１２７号、第１０−２００３−０４１１２７号等から提案された方法が用いられる。
【００８０】
遅延部２１２は、データ処理部２１４で変調された輝度成分ＹＭが生成されるまで色差成分Ｕ、Ｖを遅延させて、輝度／色ミキシング部２１３に入力される変調された輝度成分ＹＭと色差成分ＵＤ、ＶＤを同期させる。
【００８１】
輝度／色ミキシング部２１３は、変調された輝度成分ＹＭと遅延された色差成分ＵＤ、ＶＤを変数とする下記の（式９）〜（式１１）を用いて、第４変調部２２に供給されるデジタルビデオデータＡＩ（ＲＧＢ）を算出する。
【００８２】
【数９】
2008033332.tif 000014
【００８３】
【数１０】
2008033332.tif 000015
【００８４】
【数１１】
2008033332.tif 000016
【００８５】
バックライト制御部２１６は、ヒストグラム分析部２１５から入力されるヒストグラムの分析結果とデジタルビデオデータＲｉＧｉＢｉのそれぞれの表示位置の判定結果に基づいてディミング信号Ｄｉｍを異なるように発生し、データ処理部２１４によって明暗対比が強調されたデータＡＩ（ＲＧＢ）の表示面に光を照射するバックライト光源の輝度を調整する。
【００８６】
インバータ２１７は、ディミング制御信号Ｄｉｍに応じてバックライト光源のそれぞれに供給される駆動交流電源のデュティ比（ｄｕｔｙ  ｒａｔｉｏ、または点灯及び消灯比）を異なるように制御して、表示映像の輝度に応じてバックライト輝度を異なるように制御する。このインバータ２１７によって駆動されるバックライト光源は、冷陰極蛍光ランプ（Ｃｏｌｄ  Ｃａｔｈｏｄ
Ｆｌｕｏｒｅｓｃｅｎｔ  Ｌａｍｐ：ＣＣＦＬ）、外部電極蛍光ランプ（
Ｅｘｔｅｒｎａｌ  Ｅｌｅｃｔｒｏｄｅ  Ｆｌｕｏｒｅｓｃｅｎｔ  Ｌａｍｐ：ＥＥＦＬ）、発光ダイオード（Ｌｉｇｈｔ  Ｅｍｉｔｔｉｎｇ  Ｄｉｏｄｅ：ＬＥＤ）の中のいずれか１つ、またはこれらの組み合わせによって実現される。
【００８７】
第３変調部２１の変調方法は、本願出願人によって先出願された大韓民国特許出願第１０−２００３−００９９３３４号、第１０−２００４−００３０３３４号、第１０−２００３−００４１１２７号、第１０−２００４−００７８１１２号、第１０−２００３−００９９３３０号、第１０−２００４−０１１５７４０号、第１０−２００４−００４９６３７号、第１０−２００３−００４０１２７号、第１０−２００３−００８１１７１号、第１０−２００４−００３０３３５号、第１０−２００４−００４９３０５号、第１０−２００３−００８１１７４号、第１０−２００３−００８１１７５号、第１０−２００３−００８１１７２号、第１０−２００３−００８０１７７号、第１０−２００３−００８１１７３号、第１０−２００４−００３０３３６号等に詳細に説明されていて、このような変調方法の全てが本発明に適用され得る。
【００８８】
図１５は、本発明の実施の形態２に係る平板表示装置のデータ多重変調方法の制御順序を段階的に示すフローチャートである。
【００８９】
図１５において、本発明のデータ多重変調方法は、１画面分の映像で輝度を分析し、その分析結果に応じて明暗の対比を部分的に強調するために、所定の第５補償値でデジタルビデオデータＲｉＧｉＢｉを１次変調し、１次変調されたデジタルビデオデータＡＩ（ＲＧＢ）を生成する（Ｓ１５１、Ｓ１５２）。そして、本発明のデータ多重変調方法は、１次変調されたデジタルビデオデータＡＩ（ＲＧＢ）のうち、表示むら、ランプ輝線、リンクサブピクセルに示されるデジタルビデオデータＯＤＣ（ＲＧＢ）を所定の第２〜第４補償値で２次変調し、２次変調されたデジタルビデオデータＤＣＡ（ＲＧＢ）を生成する（Ｓ１５３）。
【００９０】
最後に、本発明のデータ多重変調方法は、平板表示パネルの駆動特性に合わせて、２次変調されたデジタルビデオデータＤＣＡ（ＲＧＢ）をアナログ電圧またはアナログ電流に変換した後、そのアナログ電圧または電流を平板表示パネルに供給して画像を示す（Ｓ１５４）。
【００９１】
実施の形態３．
図１６は、本発明の実施の形態３に係る平板表示装置のデータ多重変調装置１００を示す図面である。
【００９２】
図１６において、本発明の実施の形態３に係る平板表示装置のデータ多重変調装置１００は、１画面分のデジタルビデオデータＲｉＧｉＢｉの輝度を分析して、その輝度の分析結果に基づいてデジタルビデオデータＲｉＧｉＢｉを１次変調すると共に、バックライトの輝度を調整する第１変調部１６１と、応答特性を改善するためにデジタルビデオデータＲｉＧｉＢｉを２次変調する第２変調部１６２と、表示むら、ランプ輝線及びリンクサブピクセル等に示されるデジタルビデオデータＡＩ（ＲＧＢ）を３次変調する第３変調部１６３と、変調部１６１、１６２、１６３に必要な補償値と位置情報を格納するメモリ１６４と、第３変調部１６３から入力されるデジタルビデオデータＤＣＡ（ＲＧＢ）を平板表示パネルに示すためのデータ駆動回路１６５とを備えている。
【００９３】
メモリ１６４は、前述の実施の形態１、２と同様に、ＥＥＰＲＯＭ及び／またはＥＤＩＤ  ＲＯＭを含み、変調部１６１、１６２、１６３のそれぞれのデータ変調に必要な補償値と位置情報を格納する。
【００９４】
第１変調部１６１は、図１２に示す第３変調部２１と実質的に同一である。
【００９５】
第２変調部１６２は、図１に示す第１変調部１と同一の回路構成を用いて、第１変調部１６１によって明暗対比が強調された１次変調デーアＡＩ（ＲＧＢ）に対する応答特性を高くするために、２次変調する。
【００９６】
第３変調部１６３は、図１に示す第２変調部２と、図１２に示す第４変調部２２と実質的同一の回路構成を用いて、第２変調部１６２から入力されるデジタルビデオデータＯＤＣ（ＲＧＢ）のうち、表示むら、ランプ輝線、及びリンクサブピクセルに示されるデータＯＤＣ（ＲＧＢ）を３次変調する。
【００９７】
データ駆動回路５は、第３変調部１６３から入力されるデジタルビデオデータＤＣＡ（ＲＧＢ）を平板表示パネルの駆動特性に応じてアナログ電圧またはアナログ電流に変換して、平板表示パネルのデータラインに供給する。
【００９８】
輝度逆転現象を予防するために、第３変調部１６３は、第１及び第２変調部１６１、１６２に続いてデータ変調を行うべきであり、第１及び第２変調部１６１、１６２のデータ変調順序は変更され得る。
【００９９】
図１７は、本発明の実施の形態３に係る平板表示装置のデータ多重変調方法の制御順序を段階的に示すフローチャートである。
【０１００】
図１７において、本発明のデータ多重変調方法は、１画面分の映像で輝度を分析し、その分析結果に応じて明暗対比を部分的に強調するために、所定の第５補償値でデジタルビデオデータＲｉＧｉＢｉを１次変調し、１次変調されたデジタルビデオデータＡＩ（ＲＧＢ）を生成する（Ｓ１７１、Ｓ１７２）。そして、本発明のデータ多重変調方法は、１次変調されたデジタルビデオデータＡＩ（ＲＧＢ）に対して、以前のフレームと現在のフレームとの間での変化の可否及び程度を比較し、その比較結果に応じてデジタルビデオデータＡＩ（ＲＧＢ）を２次変調して、そのデータに対する平板表示パネルの応答特性を高くする（Ｓ１７３）。
【０１０１】
続いて、本発明のデータ多重変調方法は、２次変調されたデータＯＤＣ（ＲＧＢ）のうち、表示むら、ランプ輝線、リンクサブピクセルに示されるデジタルビデオデータＯＤＣ（ＲＧＢ）を３次変調し、３次変調されたデジタルビデオデータＤＣＡ（ＲＧＢ）を生成する（Ｓ１７４）。
【０１０２】
最後に、本発明のデータ多重変調方法は、平板表示パネルの駆動特性に合わせて、３次変調されたデジタルビデオデータＤＣＡ（ＲＧＢ）をアナログ電圧またはアナログ電流に変換した後、そのアナログ電圧または電流を平板表示パネルに供給して画像を示す（Ｓ１７５）。
【０１０３】
実施の形態４．
一方、前述の実施の形態１〜３で説明したメモリ３、２３、１６４は、互いに異なる変調部に共通的に接続され、かつ４ピン（ｐｉｎ）、６ピンまたは３０ピンのユーザコネクタを通じてローム記録器（Ｒｏｍ  ｗｒｉｔｅｒ）に接続され得る。また、ローム記録器は、ユーザインタフェースを有するコンピュータに接続され得る。従って、メモリ３、２３、１６４に格納される補償値と位置情報は、パネル特性の差異、製造工程の差異によって修正が必要な場合、ローム記録器とユーザコネクタを通じて供給されるユーザデータによって修正され得る。
【０１０４】
図１８は、本発明の実施の形態４に係る液晶表示装置を示すブロック図である。
【０１０５】
図１８において、本発明の液晶表示装置は、データライン１０６とゲートライン１０８が交差し、その交差部に液晶セルＣｌｃを駆動するための薄膜トランジスタＴＦＴが形成された液晶表示パネル１０３と、予め格納された補償値と位置情報を用いてデジタルビデオデータＲｉＧｉＢｉを変調するためのデータ多重変調装置１００と、データライン１０６に補償されたデータＤＣＡ（ＲＧＢ）を供給するデータ駆動回路１０１と、ゲートライン１０６にスキャン信号を供給するゲート駆動回路１０２と、駆動回路１０１、１０２を制御するタイミングコントローラ１０４とを備えている。
【０１０６】
液晶表示パネル１０３は、２枚の基板（ＴＦＴ基板、カラーフィルタ基板）の間に液晶分子が注入される。ＴＦＴ基板上に形成されたデータライン１０６とゲートライン１０８は互いに直交する。データライン１０６とゲートライン１０８の交差部に形成されたＴＦＴは、ゲートライン１０８からのスキャン信号に応じて、データライン１０６を経由して供給されるデータ電圧を液晶セルＣｌｃのピクセル電極に供給する。カラーフィルタ基板上には、図示せずのブラックマトリクス、カラーフィルタ、及び共通電極が形成される。共通電極は、電界印加方式に応じてＴＦＴ基板上に形成され得る。このようなＴＦＴ基板とカラーフィルタ基板には、互いに垂直の透過軸を有する偏光板がそれぞれ付けられる。
【０１０７】
データ多重変調装置１００は、前述の実施の形態１〜３で説明した通り、映像分析結果に応じて部分的に明暗比が強調されるようにすると共に、液晶表示パネル１０３の応答特性を向上させるために、互いに異なる補償値でデジタルビデオデータＲｉＧｉＢｉを変調した後、そのデータのうち、表示むら、ランプ輝線、及びリンクサブピクセルに示されるデータの輝度を補償するための変調を行う。
【０１０８】
タイミングコントローラ１０４は、データ多重変調装置１００からのデジタルビデオデータＤＣＡ（ＲＧＢ）をドットクロックＤＣＬＫに合わせてデータ駆動回路１０１に供給すると共に、垂直／水平同期信号Ｖｓｙｎｃ、Ｈｓｙｎｃ、データイネーブル信号ＤＥ、及びドットクロックＤＣＬＫを用いてゲート駆動回路１０２を制御するためのゲート制御信号ＧＤＣ、データ駆動回路１０１を制御するためのデータ制御信号ＤＤＣを発生する。このようなデータ多重変調装置１００とタイミングコントローラ１０４は１つのチップで集積され得る。
【０１０９】
データ駆動回路１０１は、タイミングコントローラ１０４から供給されるデジタルビデオデータＤＣＡ（ＲＧＢ）をアナログガンマ補償電圧に変換し、そのアナログガンマ補償電圧をデータ電圧としてデータライン１０６に供給する。このデータ駆動回路１０１は、前述の実施の形態１〜３で説明したデータ駆動回路５、２５、１６５と実質的同一である。
【０１１０】
ゲート駆動回路１０２は、データ電圧が供給される水平ラインを選択するスキャン信号をゲートライン１０８に順次供給する。
【０１１１】
このような液晶表示装置は、他の平板表示装置にも別の変更なしで適用され得る。例えば、液晶表示パネル１０３は、電界放出表示素子、プラズマディスプレイパネル及び有機発光ダイオード表示素子等に代えることができる。
【０１１２】
前述のように、本発明に係る平板表示装置及びそのデータ多重変調方法は、明暗比と応答特性を向上させるための変調を施した後、表示むら、ランプ輝線、及びリンクサブピクセルに示されるデータに対する変調を行うことによって、多重変調方法において、先に変調されたデータを再び変調する際に発生する輝度反転現象を予防することができる。
【０１１３】
以上、説明した内容を通じて、当業者であれば本発明の技術思想を逸脱しない範囲内で種々なる変更及び修正が可能であることが分かる。従って、本発明の技術的範囲は、明細書の詳細な説明に記載した内容に限定されるものではなく、特許請求の範囲により定めなければならない。
【図面の簡単な説明】
【０１１４】
【図１】本発明の実施の形態１に係る平板表示装置のデータ多重変調装置を示すブロック図である。
【図２】図１に示す第１変調部による変調によって応答特性の改善効果を示すグラフである。
【図３】図１に示す第１変調部による変調によって応答特性の改善効果を示すグラフである。
【図４】図１に示す第１変調部を詳細に示すブロック図である。
【図５】リンクサブピクセルを説明するための図面である。
【図６】平板表示パネルに対する検査工程から第２〜第４補償値の決定及び格納工程までの工程順序を段階的に示すフローチャートである。
【図７】階調別ガンマ補償電圧を示すグラフである。
【図８】表示むらと正常表示面の輝度差、第２補償値及び第２補償値が適用された表示むらの輝度補償の例を示す図面である。
【図９】フレームレートコントロールＦＲＣに適用することのできるディザパターンの例を示すグラフである。
【図１０】本発明の実施の形態１に係る平板表示装置のデータ多重変調方法の制御順序を段階的に示すフローチャートである。
【図１１】変調順序が変わる際に現れる輝度逆転現象の一例を説明するための図面である。
【図１２】本発明の実施の形態２に係る平板表示装置のデータ多重変調装置を示すブロック図である。
【図１３】図１２に示す第３変調部を詳細に示すブロック図である。
【図１４】ヒストグラムの一例を示すグラフである。
【図１５】本発明の実施の形態２に係る平板表示装置のデータ多重変調方法の制御順序を段階的に示すフローチャートである。
【図１６】本発明の実施の形態３に係る平板表示装置のデータ多重変調装置を示すブロック図である。
【図１７】本発明の実施の形態３に係る平板表示装置のデータ多重変調方法の制御順序を段階的に示すフローチャートである。
【図１８】本発明の実施の形態４に係る液晶表示装置を示すブロック図である。
【符号の説明】
【０１１５】
１、２、２２、２１、１６１、１６２、１６３：変調部
３、２３、１６４：メモリ
５、２５、１６５、１０１：データ駆動回路
４３ａ、４３ｂ：フレームメモリ
４４：ルックアップテーブル
５０：不良サブピクセル
５１：正常サブピクセル
５２：導伝性ショットパターン
５３：リンクサブピクセル
１００：データ多重変調装置
１０２：ゲート駆動回路
１０３：液晶表示パネル
１０４：タイミングコントローラ
２１１：輝度／色分離部
２１２：遅延部
２１３：輝度／色ミキシング部
２１４：データ処理部
２１５：ヒストグラム分析部
２１６：バックライト制御部
２１７：インバータ
【図１】
2008033332.tif 000017
【図２】
2008033332.tif 000018
【図３】
2008033332.tif 000019
【図４】
2008033332.tif 000020
【図５】
2008033332.tif 000021
【図６】
2008033332.tif 000022
【図７】
2008033332.tif 000023
【図８】
2008033332.tif 000024
【図９】
2008033332.tif 000025
【図１０】
2008033332.tif 000026
【図１１】
2008033332.tif 000027
【図１２】
2008033332.tif 000028
【図１３】
2008033332.tif 000029
【図１４】
2008033332.tif 000030
【図１５】
2008033332.tif 000031
【図１６】
2008033332.tif 000032
【図１７】
2008033332.tif 000033
【図１８】
2008033332.tif 000034